(57)【特許請求の範囲】
【請求項１】
照射される記録光量の強弱によって結晶状態とアモルファス状態とに相変化する記録層と、照射される再生光量によって透過率が変化する再生層とを備えた光記録媒体を使用し、
情報記録時に、前記記録層を予め微細結晶化し、次に、前記記録層に記録光を照射して、アモルファス領域と、その周囲にリング状粗大結晶からなる記録マークとを形成した後、前記記録光よりも弱い光を照射して、前記記録マーク内のアモルファス領域を微細結晶化する微細結晶化処理を行う一方、
情報再生時に、前記再生層に再生光を照射してこの再生光の照射中心に透過率の高いアパーチャを発生させ、このアパーチャを介して前記記録マークを読み出す再生処理を行う光情報記録再生方法において、
前記微細結晶化処理と前記再生処理とを同じ強度の光を使用して同時に行うことを特徴とする光情報記録再生方法。
【請求項２】
照射される記録光量の強弱によって結晶状態とアモルファス状態とに相変化し、予め微細結晶化された記録層、および照射される再生光量の強弱によって透過率が変化する再生層を備えた光記録媒体を使用し、
前記光記録媒体に光を照射する光照射手段と、
情報記録時に、前記記録層に記録光が照射されてアモルファス領域、およびその周囲にリング状粗大結晶からなる記録マークが形成され、次に、前記記録光よりも弱い光が照射されて前記記録マーク内のアモルファス領域が微細結晶化される微細結晶化処理が行われる一方、情報再生時に、前記再生層に再生光が照射されてこの再生光の照射中心に透過率の高いアパーチャを発生させるアパーチャ発生処理が行われるように前記光照射手段を制御する制御手段と、
前記アパーチャを介して前記光照射手段により読み出された信号を再生する再生手段とを備えている光情報記録再生装置において、
前記制御手段は、前記微細結晶化処理と前記アパーチャ発生処理とが同じ強度の光を使用して同時に行われるように、前記光照射手段を制御することを特徴とする光情報記録再生装置。
【請求項３】
前記制御手段は、前記記録マークの形状を調整するために、記録光強度、記録光照射時間、および光照射手段と光記録媒体との相対速度のうちの少なくとも一つを制御するものであることを特徴とする請求項２に記載の光情報記録再生装置。
【発明の詳細な説明】
【０００１】
【発明の属する技術分野】
本発明は、相変化型の光記録媒体を使用する光情報記録方法、光情報記録再生方法および光情報記録再生装置に関するものである。
【０００２】
【従来の技術】
従来、光情報記録の分野においては、記録密度を高めるために種々の記録方式が開発されている。たとえば、光磁気方式や相変化方式の光変調記録においては、円形あるいは長円形のマークを記録するための記録レーザパルスの波形制御がよく知られている。また、光磁気方式の磁界変調記録においては、情報に応じて磁界反転を行うと同時に、クロックに基づいてレーザをパルス照射することにより、高トラック密度が得られる矢羽形マークを記録することが行われている。このように、光情報記録の分野における記録マークの形状としては、円形と矢羽形とに大別されていた。
【０００３】
一方、特開平６−１１１３２８号公報には、記録密度をさらに向上できるものとして、リング状のマークを記録する方式が提案されている。この方式は、相変化型の光記録において、重ね書き可能な光記録媒体にリング状の記録マークを記録するものである。この方式では、記録マークが幅広となるのでＳ／Ｎ比が良好となる。
【０００４】
【発明が解決しようとする課題】
ところが、上記公報に記載の光記録においては、上記のリング状の記録マークを、記録層に非晶質領域と結晶化領域とを形成することによって記録するものであるため、記録マークの寿命を十分に長くすることができないという問題点を有している。
【０００５】
本発明は上記問題点に鑑み、寿命の長い記録マークを得ることができる光情報記録方法、光情報記録再生方法および光情報記録再生装置の提供を目的としている。
【０００６】
【課題を解決するための手段】
上記の課題を解決するために、本発明の光情報記録再生方法は、微細結晶と粗大結晶とを生じる光記録媒体を使用し、この光記録媒体に微細結晶の領域と粗大結晶の領域とを形成することにより記録マークを記録し、この記録マークを微細結晶と粗大結晶との光学特性の違いにより再生することを特徴としている。
【０００７】
上記の構成によれば、光記録媒体に微細結晶の領域と粗大結晶の領域とを形成することにより記録マークを記録するので、記録層における記録マークおよびそれ以外の部分の全てを結晶状態にすることができる。これにより、記録マークの長寿命化を達成することができる。また、微細結晶と粗大結晶との光学特性の違い、例えば結晶粒径に応じた反射率や透過率の違いによって、記録マークの再生を確実に行うことができる。
【０００８】
また、本発明の光情報記録方法は、照射される記録光量の強弱によって結晶状態とアモルファス状態とに相変化する記録層を備えた光記録媒体を使用し、前記記録層を予め微細結晶化し、次に、前記記録層に記録光を照射して、アモルファス領域と、その周囲にリング状粗大結晶からなる記録マークとを形成した後、前記記録光よりも弱い光を照射して、前記記録マーク内のアモルファス領域を微細結晶化することを特徴としている。
【０００９】
上記の構成によれば、記録層における記録マークおよびそれ以外の部分の全てが結晶状態となるので、記録マークの長寿命化を達成することができる。また、記録マークを形成するリング状の結晶壁の幅によって、記録マーク長を設定することができるので、高密度記録が可能となる。
【００１０】
また、本発明の光情報記録再生方法は、照射される記録光量の強弱によって結晶状態とアモルファス状態とに相変化する記録層と、照射される再生光量によって透過率が変化する再生層とを備えた光記録媒体を使用し、情報記録時に、前記記録層を予め微細結晶化し、次に、前記記録層に記録光を照射して、アモルファス領域と、その周囲にリング状粗大結晶からなる記録マークとを形成した後、前記記録光よりも弱い光を照射して、前記記録マーク内のアモルファス領域を微細結晶化する一方、情報再生時に、前記再生層に再生光を照射してこの再生光の照射中心に透過率の高いアパーチャを発生させ、このアパーチャを介して前記記録マークを読み出すことを特徴としている。
【００１１】
上記の構成によれば、記録層における記録マークおよびそれ以外の部分の全てが結晶状態となるので、記録マークの長寿命化を達成することができる。また、記録マークを形成するリング状の結晶壁の幅によって、記録マーク長を設定することができるので、高密度記録が可能となる。
【００１２】
また、情報再生時に、再生層に再生光を照射してこの再生光の照射中心に透過率の高いアパーチャを発生させ、このアパーチャを介して記録マークを読み出すので、記録マークを高い分解能によって再生することができ、Ｓ／Ｎ比の高い再生信号を得ることができる。
【００１３】
本発明の光情報記録再生装置は、照射される記録光量の強弱によって結晶状態とアモルファス状態とに相変化し、予め微細結晶化された記録層、および照射される再生光量の強弱によって透過率が変化する再生層を備えた光記録媒体を使用し、前記光記録媒体に光を照射する光照射手段と、情報記録時に、前記記録層に記録光が照射されてアモルファス領域、およびその周囲にリング状粗大結晶からなる記録マークが形成され、次に、前記記録光よりも弱い光が照射されて前記記録マーク内のアモルファス領域が微細結晶化される一方、情報再生時に、前記再生層に再生光が照射されてこの再生光の照射中心に透過率の高いアパーチャが発生するように前記光照射手段を制御する制御手段と、前記アパーチャを介して前記光照射手段により読み出された信号を再生する再生手段とを備えていることを特徴としている。
【００１４】
上記の構成によれば、制御手段の制御により、光照射手段は、情報記録時に、まず、記録層に記録光を照射して、アモルファス領域を形成させるとともに、その周囲にリング状粗大結晶からなる記録マークを形成させる。次に、光照射手段は、記録光よりも弱い光を記録層に照射して、録マーク内のアモルファス領域を微細結晶化させる。
【００１５】
これにより、記録層における記録マークおよびそれ以外の部分の全てが結晶状態となるので、記録マークの長寿命化を達成することができる。また、記録マークを形成するリング状の結晶壁の幅によって、記録マーク長を設定することができるので、高密度記録が可能となる。
【００１６】
また、制御手段の制御により、光照射手段は、情報再生時に、再生層に再生光を照射してこの再生光の照射中心に透過率の高いアパーチャを発生させる。そして、光照射手段は、このアパーチャを介して記録マークを読み出す。
【００１７】
このように、透過率の高いアパーチャを介して記録マークを読み出すことにより、Ｓ／Ｎ比の良好な再生を行うことができる。
【００１８】
上記の光情報記録再生装置は、前記制御手段が、前記記録マークの形状を調整するために、記録光強度、記録光照射時間、および光照射手段と光記録媒体との相対速度のうちの少なくとも一つを制御する構成としてもよい。
【００１９】
上記の構成によれば、リング状の記録マークを安定して記録することができ、光の回折限界を超えた高密度記録再生を達成することができる。
【００２０】
【発明の実施の形態】
本発明の実施の一形態を図１ないし図６に基づいて以下に説明する。
本実施の形態において使用される光記録媒体としての光ディスクは、相変化型であり、図３に示す構造となっている。この構造は雑誌「エレクトロニクス」（オーム社発行）の１９９８年１０月号の１００〜１０２頁に開示されている。
【００２１】
同図において、光ディスク１は、基板２上にマスク層３、保護層４、記録層５および保護層６がこの順序に積層されたものとなっている。記録層５には、後述のように、レーザビーム９から対物レンズ１０を介して得られるレーザスポット９ａを光ディスク１に照射することにより、記録マーク７が記録される。
【００２２】
上記の記録層５は相変化材料であるＧｅ2 Ｓｂ2 Ｔｅ5 によって形成されている。マスク層３はアンチモン膜からなる。マスク層３の材料としては、照射されたレーザスポット９ａの中心部分に相当する部分が不透明から透明に変化するものが適しており、実験の結果、上記アンチモン膜が最適であることが分かっている。したがって、マスク層３には、レーザスポット９ａが照射された場合、スポット径よりも小さい径のアパーチャ８が発生し、このアパーチャ８を通じて記録層５に記録された記録マーク７を読み出すことが可能となる。
【００２３】
上記保護層４の厚みは、レーザスポット９ａからアパーチャ８において発生した近接場光（エバネッセント光）９ｂにより記録マーク７を読み出せる寸法に設定されている。この寸法は、実験の結果、近接場光９ｂの到達可能距離以内であることが分かっている。これにより、記録マーク７を近接場光によって再生することができるため、光の回折限界を越えた高密度記録が可能となり、数十ｎｍ以下の記録マーク７の再生が可能となる。
【００２４】
上記の光ディスク１に対して情報の記録再生動作を行う光情報記録再生装置は、図４に示す構成を備えている。即ち、この光情報記録再生装置１１は、光学ピックアップ（光照射手段）１２、レーザ駆動回路１３、記録制御回路（制御手段）１４および再生回路（再生手段）１５を備えている。
【００２５】
この光情報記録再生装置１１において、記録制御回路１４から出力された記録信号は、レーザ駆動回路１３を経て、光学ピックアップ１２が備える半導体レーザに送られ、強い強度のレーザビーム９として出力される。光学ピックアップ１２は前記対物レンズ１０を備え、この対物レンズ１０によりレーザビーム９を光ディスク１上にレーザスポット９ａとして集光させる。これにより、情報の記録時においては、予めイニシャライズされた光ディスク１に、後述のようにリング上の記録マーク７が記録される。このとき、記録制御回路１４では、リング状の記録マーク７を記録するために、記録パワー、記録パルス長および線速度の少なくとも一つを最適に制御する。
【００２６】
次に、光学ピックアップ１２から中程度の強度のレーザビーム９が光ディスク１に照射される。これにより、記録マーク７内のアモルファス領域が微細結晶化される。
【００２７】
また、情報の再生時においては、光ディスク１に光学ピックアップ１２に弱い強度のレーザビーム９が照射され、記録マーク７からの反射光が光学ピックアップ１２が備えるフォトディテクタにより電気信号に変換される。この電気信号は再生回路１５に送られ、所定の信号に再生される。
【００２８】
上記の構成において、光ディスク１に対する情報の記録再生方法について、図１（ａ）（ｂ）および図２（ａ）（ｂ）により説明する。
【００２９】
本実施の形態における光情報記録再生方法は、相変化光記録媒体としての光ディスク１に対し、リング状粗大状結晶２１（図１（ｂ）参照）を利用して情報の記録再生を行うようになっている。
【００３０】
ここで、相変化光記録媒体においては、従来の光変調記録における円形のアモルファス２３（図１（ｂ）参照）の状態の記録マークの周囲にリング状粗大結晶が発生することが知られている。この現象は例えば特開平１−２１７７３５号公報にも開示されている。このリング状粗大結晶２１は粒径が大きく、消去しても微細結晶２２（図１（ｂ）参照）に戻らず、消し残りノイズの原因となるため、従来はこのリング状粗大結晶２１が発生しないように記録媒体の開発がなされてきた。しかしながら、研究を重ねた結果、上記のリング状粗大結晶２１を利用して、即ちリング状粗大結晶２１を記録マーク７として記録すると、マーク長を数十ｎｍまで短くすることができ、従来の光磁気記録方式に比べて高密度記録が可能であることがわかった。
【００３１】
光ディスク１に情報を記録する際には、まず、光ディスク１の成膜後の記録層５がアモルファス２３の状態であるため、これをイニシャライズして、図１（ａ）に示すように、すべて微細結晶２２にする。
【００３２】
次に、図１（ｂ）に示すように、レーザを記録データが「１」の時にオンする一方、「０」の時にオフすることにより、強い強度の、即ち光量の多いレーザスポット９ａを記録層５に照射しながら、光学ピックアップ１２と光ディスク１とを相対移動させる。これにより、記録層５におけるレーザスポット９ａの中心に相当する円形領域がアモルファス２３の状態になり、この円形のアモルファス２３の領域の周りの領域がリング状粗大結晶２１、即ち記録マーク７となる。このときのマーク長、即ちリングを形成する結晶壁の幅は数十ｎｍまで短くすることができる。なお、上記レーザのオン／オフ制御は記録制御回路１４が行う。記録マーク７は、各記録マーク７がトラック方向に重なるように記録する。
【００３３】
次に、中低度の強度、即ち中程度の光量のレーザスポット９ａを記録層５におけるリング状粗大結晶２１およびアモルファス２３の領域に照射し、これら領域を結晶化転移温度以上に上昇させると、図２（ａ）に示すように、リング状粗大結晶２１の内部のアモルファス２３の領域のみが微細結晶２２となる。この微細結晶２２はアモルファス２３に比べて安定であり、記録マーク７によって記録された情報を長寿命化することができる。このように、微細結晶２２の中にリング状粗大結晶２１、即ち記録マーク７を記録すると、結晶粒の大きさによって光学特性、即ち反射率や透過率が変化することを利用して、マークの読み出しが可能となる。
【００３４】
また、光ディスク１に記録された情報を再生する際には、記録マーク７の結晶壁の幅であるマーク長が数十ｎｍであるため、従来の再生方式では光の回折限界により再生は困難である。そこで、図３に示した回折限界を超えて記録マーク７を再生可能な光ディスク１を使用している。
【００３５】
記録マーク７を再生する際には、図２（ｂ）に示すように、弱い強度、即ち少ない光量のレーザスポット９ａを記録層５に照射して読み出し用のアパーチャ８を発生させ、このアパーチャ８を通じて記録マーク７を読み出す。これにより、高い分解能による再生が可能となる。即ち、数十ｎｍ以下のマーク長を有する記録マーク７を読み出すことができる。
【００３６】
また、図２（ｂ）に示すように、記録マーク７は、リング形状であり、アパーチャ８内のラジアル方向に広がっている。これにより、レーザビーム９のトラッキングにずれが生じ、この結果、たとえアパーチャ８が上記ラジアル方向にずれた場合であっても、アパーチャ８内に記録マーク７を容易に確保することができるため、安定した読み出しが可能となる。
【００３７】
次に、上記の記録再生動作をフローチャートにて示すと図５のようになる。
まず、図３に示したように、基板２上に各層を積層し、光ディスク１を形成する（Ｓ１）。
【００３８】
次に、光ディスク１の記録層５をイニシャライズして、微細結晶２２とする（Ｓ２）。
【００３９】
次に、記録データにしたがって、強い強度のレーザビーム９をオン／オフし、記録層５にリング状粗大結晶２１からなる記録マーク７を記録する（Ｓ３）。
【００４０】
次に、記録層５のアモルファス２３が結晶転移温度に達する中程度の強度のレーザビーム９を記録層５に照射し、記録マーク７内部のアモルファス２３の領域を微細結晶２２とする（Ｓ４）。
【００４１】
次に、弱い強度のレーザビーム９を記録層５に照射し、アパーチャ８を介して記録層５に記録されている記録マーク７を再生する（Ｓ５）。
【００４２】
なお、Ｓ４において一旦微細結晶２２となった記録マーク７内部の領域は、それ以後、相変化しないため、ここでは、Ｓ４の処理で使用したものと同じ強度のレーザビーム９、即ち中程度の強度のレーザビーム９によって記録マーク７を再生することもできる。このように、記録マーク７内部のアモルファス２３の領域を微細結晶２２にする処理と、記録マーク７の再生動作とにおいて、同じ強度のレーザビーム９を使用する場合には、上記Ｓ４とＳ５との処理を同時に行うことができる。
【００４３】
次に、光ディスク１に記録マーク７を記録する場合の温度と記録マーク７の形状との関係について説明する。
【００４４】
記録層５におけるレーザビーム９の照射領域の温度が、リング状粗大結晶２１、即ち記録マーク７を形成可能な範囲のうちの低めの場合には、図６（ａ）に示すような記録マーク７が形成される。この場合には、記録層５に照射されたレーザスポット９ａの中央部のピーク温度が低く、仮に温度分布をガウス関数型と仮定すると、温度傾斜の緩い領域を使って記録マーク７が形成される。したがって、記録マーク７における結晶壁の幅は広くなる。即ち、マーク長は長くなる。
【００４５】
この記録マーク７を再生すると、図６（ａ）の下部に示すように、その再生波形ｈには、アモルファス２３の領域に対応する部分においてパルスｂが生じる。また、パルスｂの両側部には記録マーク７に対応した、パルスｂとは逆方向のパルスｂ１・ｂ２が生じる。前記Ｓ４に示した処理によりアモルファス２３の領域を微細結晶２２にすると、パルスｂは破線で示すレベルに戻る。したがって、再生時はパルスｂ１またはｂ２を読み出すことになる。
【００４６】
一方、例えば記録光量を増やすことによって、記録層５におけるレーザスポット９ａを照射した中心部の温度が上がると、温度傾斜の大きい領域を使ってリング状粗大結晶２１、即ち記録マーク７が形成される。このため、図６（ｂ）に示すように、記録マーク７における結晶壁の幅は狭くなる。即ち、マーク長は短くなる。
【００４７】
この記録マーク７を再生すると、その再生波形ｈにおいて、パルスｄの両側部には記録マーク７に対応した、パスルｄとは逆方向のパルスｄ１・ｄ２が生じる。これらパルスｄ１・ｄ２は図６（ａ）に示したパルスｂ１・ｂ２よりも幅が狭くなる。同様に、アモルファス２３の領域を微細結晶２２にすると、パルスｄは破線で示すレベルになり、再生時はパルスｄ１またはｄ２を読み出すことになる。
【００４８】
このように、記録時にレーザスポット９ａにて昇温される記録層５の温度により、記録マーク７のマーク長が変化する。したがって、記録マーク７を最適なマーク長で記録するには、記録時における記録層５の温度を制御すればよい。この温度を制御するには、図４に示した記録制御回路１４が、レーザ駆動回路１３と光ディスク１の駆動系との少なくとも一方を制御して、レーザビーム９の記録パワー、記録パルス長または線速度の少なくとも１つを適度に調整すればよい。
【００４９】
【発明の効果】
以上のように、本発明の光情報記録方法は、微細結晶と粗大結晶とを生じる光記録媒体を使用し、この光記録媒体に微細結晶の領域と粗大結晶の領域とを形成することにより記録マークを記録し、この記録マークを微細結晶と粗大結晶との光学特性の違いにより再生する構成である。
【００５０】
これにより、記録層における記録マークおよびそれ以外の部分の全てを結晶状態にすることができる。これにより、記録マークの長寿命化を達成することができる。また、微細結晶と粗大結晶との光学特性の違い、例えば結晶粒径に応じた反射率や透過率の違いによって、記録マークの再生を確実に行うことができるという効果を奏する。
【００５１】
また、本発明の光情報記録方法は、照射される記録光量の強弱によって結晶状態とアモルファス状態とに相変化する記録層を備えた光記録媒体を使用し、前記記録層を予め微細結晶化し、次に、前記記録層に記録光を照射して、アモルファス領域と、その周囲にリング状粗大結晶からなる記録マークとを形成した後、前記記録光よりも弱い光を照射して、前記記録マーク内のアモルファス領域を微細結晶化する構成である。
【００５２】
これにより、記録層における記録マークおよびそれ以外の部分の全てが結晶状態となるので、記録マークの長寿命化を達成することができる。また、記録マークを形成するリング状の結晶壁の幅によって、記録マーク長を設定することができるので、高密度記録が可能であるという効果を奏する。
【００５３】
また、本発明の光情報記録再生方法は、照射される記録光量の強弱によって結晶状態とアモルファス状態とに相変化する記録層と、照射される再生光量によって透過率が変化する再生層とを備えた光記録媒体を使用し、情報記録時に、前記記録層を予め微細結晶化し、次に、前記記録層に記録光を照射して、アモルファス領域と、その周囲にリング状粗大結晶からなる記録マークとを形成した後、前記記録光よりも弱い光を照射して、前記記録マーク内のアモルファス領域を微細結晶化する一方、情報再生時に、前記再生層に再生光を照射してこの再生光の照射中心に透過率の高いアパーチャを発生させ、このアパーチャを介して前記記録マークを読み出す構成である。
【００５４】
これにより、記録層における記録マークおよびそれ以外の部分の全てが結晶状態となるので、記録マークの長寿命化を達成することができる。また、記録マークを形成するリング状の結晶壁の幅によって、記録マーク長を設定することができるので、高密度記録が可能である。
【００５５】
また、記録マークを高い分解能によって再生することができ、Ｓ／Ｎ比の良好な再生信号を得ることができるという効果を奏する。
【００５６】
本発明の光情報記録再生装置は、照射される記録光量の強弱によって結晶状態とアモルファス状態とに相変化し、予め微細結晶化された記録層、および照射される再生光量の強弱によって透過率が変化する再生層を備えた光記録媒体を使用し、前記光記録媒体に光を照射する光照射手段と、情報記録時に、前記記録層に記録光が照射されてアモルファス領域、およびその周囲にリング状粗大結晶からなる記録マークが形成され、次に、前記記録光よりも弱い光が照射されて前記記録マーク内のアモルファス領域が微細結晶化される一方、情報再生時に、前記再生層に再生光が照射されてこの再生光の照射中心に透過率の高いアパーチャが発生するように前記光照射手段を制御する制御手段と、前記アパーチャを介して前記光照射手段により読み出された信号を再生する再生手段とを備えている構成である。
【００５７】
これにより、記録層における記録マークおよびそれ以外の部分の全てが結晶状態となるので、記録マークの長寿命化を達成することができる。また、記録マークを形成するリング状の結晶壁の幅によって、記録マーク長を設定することができるので、高密度記録が可能となる。また、透過率の高いアパーチャを介して記録マークを読み出すことにより、Ｓ／Ｎ比の良好な再生を行うことができるという効果を奏する。
【００５８】
上記の光情報記録再生装置は、前記制御手段が、前記記録マークの形状を調整するために、記録光強度、記録光照射時間、および光照射手段と光記録媒体との相対速度のうちの少なくとも一つを制御する構成である。
【００５９】
これにより、リング状の記録マークを安定して記録することができ、光の回折限界を超えた高密度記録再生を達成することができるという効果を奏する。
【図面の簡単な説明】
【図１】図１（ａ）は、本発明の実施の一形態における記録マークの記録方法を示すものであって、記録動作に際して光ディスクの記録層を微細結晶にイニシャライズした状態を示す説明図、図１（ｂ）は、図１（ａ）の状態の記録層にレーザビームを照射して記録マークを形成した状態を示す説明図である。
【図２】図２（ａ）は、図１（ｂ）の状態の記録層にレーザビームを照射して、記録マーク内部のアモルファスを微細結晶にした状態を示す説明図、図２（ｂ）は、図２（ａ）の状態の記録マークの再生状態を示す説明図である。
【図３】図１および図２に示した記録再生方法により記録マークの記録再生が行われる光ディスクの構成を示す説明図である。
【図４】図１および図２に示した記録再生方法を実施する光情報記録再生装置の構成を示すブロック図である。
【図５】図１および図２に示した記録再生方法を示すフローチャートである。
【図６】図６（ａ）は、図３に示した光ディスクにおいて、レーザビームによる記録温度が低い場合に形成される記録マークとその再生信号とを示す説明図、図６（ｂ）は同光ディスクにおいて、レーザビームによる記録温度が高い場合に形成される記録マークとその再生信号とを示す説明図である。
【符号の説明】
１      光ディスク（光記録媒体）
５      記録層
７      記録マーク
８      アパーチャ
９      レーザビーム
９ａ    レーザスポット
９ｂ    近接場光
１０      対物レンズ
１１      光情報記録再生装置
１２      光学ピックアップ（光照射手段）
１３      レーザ駆動回路
１４      記録制御回路（制御手段）
１５      再生回路（再生手段）
２１      リング状結晶
２２      微細結晶
２３      アモルファス
【図１】
0004381539.tif 000002
【図２】
0004381539.tif 000003
【図３】
0004381539.tif 000004
【図４】
0004381539.tif 000005
【図５】
0004381539.tif 000006
【図６】
0004381539.tif 000007